(57)【要約】【課題】視覚的に表現された触感を使用者が指で触れて確認する動作により、自発的に香りを発するという新規な印刷物を提供すること。【解決手段】紙基材２の上に現物の持つ質感を表現する状態で絵柄が形成され、香料マイクロカプセルを練り込んだインキを用いた層６が前記絵柄上にて表面に露出する状態で設けられた構成とする。例えば、紙基材２の上にオフセット印刷により絵柄印刷層３を形成し、その絵柄印刷層３を覆って全面に透明カバー層４を形成し、その透明カバー層４の上にシルクスクリーン印刷により透明なパターン状の凹凸模様層５を形成し、さらにその凹凸模様層５の上に香料マイクロカプセルを練り込んだインキを印刷した香料印刷層６を形成する。視覚的に表現された触感を指で触れて確認すると、その確認動作により香料マイクロカプセルが破壊されて自発的に香りを発し、視覚と触覚に加え臭覚にも同時に訴えかけるものとなる。【選択図】図２
2005186389.tif 000002
【特許請求の範囲】
【請求項１】
紙基材の上に現物の持つ質感を表現する状態で絵柄が形成され、香料マイクロカプセルを練り込んだインキを用いた層が前記絵柄上にて表面に露出する状態で設けられていることを特徴とする印刷物。
【請求項２】
紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成し、さらにその凹凸模様層の上に香料マイクロカプセルを練り込んだインキを印刷した香料印刷層を形成したことを特徴とする印刷物。
【請求項３】
紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成してなる印刷物であって、前記凹凸模様層を、香料マイクロカプセルを練り込んだインキを用いて印刷したことを特徴とする印刷物。
【請求項４】
紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成してなる印刷物であって、前記透明カバー層を、香料マイクロカプセルを練り込んだインキを用いて形成したことを特徴とする印刷物。
【発明の詳細な説明】
【技術分野】
【０００１】
本発明は、現物の持つ質感を呈する印刷物に関するものである。
【背景技術】
【０００２】
従来より、この種の印刷物として、オフセット印刷とシルクスクリーン印刷の組合せにより、現物のもつ凹凸感、艶、色調、量感、触感等の質感を表現するようにしたものが知られている。この印刷物は、紙基材の上にオフセット印刷により絵柄印刷層を形成し、その絵柄印刷層を覆って全面に透明カバー層を形成し、その透明カバー層の上にシルクスクリーン印刷により透明なパターン状の凸部を形成したものである。一方、マイクロカプセル化した香油をインキに練り込み印刷する方法が確立しており、この方法により得られた印刷物は、印刷面を指などで擦ることによりマイクロカプセルが破壊され、香りを発するようになっている。したがって、この香りを発する印刷物では、印刷面を擦るよう使用者に喚起する記述を別途設ける必要がある。
【特許文献１】特開２００２−６７４６８号公報
【特許文献２】特開２００２−６７４６９号公報
【発明の開示】
【発明が解決しようとする課題】
【０００３】
本発明が解決しようとする課題は、視覚的に表現された触感を使用者が指で触れて確認する動作により、自発的に香りを発するという新規な印刷物を提供することにある。
【課題を解決するための手段】
【０００４】
本発明の印刷物は、基本的に、紙基材の上に現物の持つ質感を表現する状態で絵柄が形成され、香料マイクロカプセルを練り込んだインキを用いた層が前記絵柄上にて表面に露出する状態で設けられていることを特徴とするものである。
【０００５】
そして、本発明の印刷物の第１のタイプは、紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成し、さらにその凹凸模様層の上に香料マイクロカプセルを練り込んだインキを印刷した香料印刷層を形成したことを特徴としている。
【０００６】
また、本発明の印刷物の第２のタイプは、紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成してなる印刷物であって、前記凹凸模様層を、香料マイクロカプセルを練り込んだインキを用いて印刷したことを特徴としている。
【０００７】
また、本発明の印刷物の第３のタイプは、紙基材の上にオフセット印刷により絵柄印刷層を形成し、その絵柄印刷層を覆って全面に透明カバー層を形成し、その透明カバー層の上にシルクスクリーン印刷により透明なパターン状の凹凸模様層を形成してなる印刷物であって、前記透明カバー層を、香料マイクロカプセルを練り込んだインキを用いて形成したことを特徴としている。
【発明の効果】
【０００８】
本発明の印刷物は、視覚的に表現された触感を指で触れて確認すると、その確認動作により香料マイクロカプセルが破壊されて自発的に香りを発し、視覚と触覚に加え臭覚にも同時に訴えかけるという、これまでに無い新規なものであり、使用者に対して大きなインパクトを与えることができる。
【０００９】
また、本発明の印刷物のうち、透明カバー層や凹凸模様層を、香料マイクロカプセルを練り込んだインキで印刷したタイプのものは、印刷回数を増やすことなく香りを付加することができる。
【発明を実施するための最良の形態】
【００１０】
図１は本発明に係る印刷物の応用例を示す平面図である。この印刷物１は例えば建築物販促用のポスターであり、１枚の紙基材上に広告の絵柄や文字が印刷され、下部にその絵柄や文字に対応した２種類の化粧材Ａ，Ｂ（以下、印刷化粧材と呼称する）が再現されている。
【００１１】
図２は図１の印刷物における印刷化粧材の一例を示す一部断面図である。この印刷化粧材は、紙基材２の上にオフセット印刷により絵柄印刷層３を形成し、その絵柄印刷層３を覆って任意の手段で全面に透明カバー層４を形成し、その透明カバー層４の上にシルクスクリーン印刷により透明なパターン状の凹凸模様層５を形成し、さらにその凹凸模様層５の上に香料印刷層６を形成したものである。
【００１２】
紙基材２の上に形成する絵柄印刷層３は、普通のオフセット印刷用プロセスカラーインキを用いてオフセット印刷により形成する。
【００１３】
絵柄印刷層３の上に形成する透明カバー層４は、凹凸模様層５の凸部がない絵柄印刷層３を保護したり光沢を調整したりするために設けるもので、例えば、オフセット印刷用無着色インキ（オフセットＯＰニス）を用いてオフセット印刷により形成してもよいし、シルクスクリーン印刷用無着色インキ（シルクスクリーンＯＰニス）を用いてシルクスクリーン印刷により形成してもよい。また、グラビア印刷等の他の印刷法、ビニール引き、プレスコート、フィルム貼り等の手段で形成することもできる。
【００１４】
透明カバー層４の上に形成する凹凸模様層５は、求める光沢に応じて、シルクスクリーン印刷用の無着色グロスインキないし無着色マットインキを用いてシルクスクリーン印刷により形成する。また、紫外線硬化型インキを用いてもよい。印刷に際しては、求める膜厚（凹凸感）により、使用するシルクスクリーン版のメッシュを選択するようにし、十分な凹凸感が得られない場合は数回重ねて印刷する。この凹凸模様層５は、必要に応じて下の絵柄印刷層３の模様に合わせるが、あくまでもデザイン上の都合であり、絵柄印刷層３の模様とずれていても構わない。
【００１５】
凹凸模様層５の上に形成する香料印刷層６は、香料マイクロカプセルを練り込んだインキを用いて例えばシルクスクリーン印刷により形成する。印刷方式はシルクスクリーン印刷が一般的であるが、オフセット印刷、フレキソ印刷、グラビア印刷などの他の印刷方式によっても構わない。
【００１６】
香料マイクロカプセルは用途に応じた所定の芳香成分を封入したものである。そのマイクロカプセルの材質は芳香成分の種類によって異なるが、ゼラチン、ポリビニルアルコール、エチルセルロース、カルボキシメチルセルロース、尿素樹脂、メラミン樹脂等、カプセル化できる材質であればいずれも使用できる。また、芳香成分を封入した香料マイクロカプセルは、径が通常３０〜４０μｍのものが使用されるが、印刷物のスペックにより５〜６０μｍのものが使用可能である。
【００１７】
香料印刷層６には、印刷表現するものの素材に合わせ、マット剤、ビーズ、パール、ラメなどを配合して質感を出すこともできる。また、香料印刷層６は、必ずしも全面ベタである必要はなく、パターン状に形成してもよい。
【００１８】
図３は図１の印刷物における印刷化粧材の別の例を示す一部断面図である。この印刷化粧材は、紙基材２の上にオフセット印刷により絵柄印刷層３を形成し、その絵柄印刷層３を覆って任意の手段で全面に透明カバー層４を形成し、その透明カバー層４の上に、香料マイクロカプセルを練り込んだインキを用いてシルクスクリーン印刷により凹凸模様層５’を形成したものである。すなわち、シルクスクリーン印刷用の無着色グロスインキないし無着色マットインキに香料マイクロカプセルを練り込んだインキを用いてシルクスクリーン印刷により凹凸模様層５’を形成する。或いは、紫外線硬化型インキに香料マイクロカプセルを練り込んだインキを用いてもよい。
【００１９】
図４は図１の印刷物における印刷化粧材のさらに別の例を示す断面図である。この印刷化粧材は、紙基材２の上にオフセット印刷により絵柄印刷層３を形成し、その絵柄印刷層３を覆って、香料マイクロカプセルを練り込んだインキを用いて透明カバー層４’を形成し、その透明カバー層４’の上に、シルクスクリーン印刷により透明なパターン状の凹凸模様層５を形成したものである。すなわち、オフセット印刷用無着色インキ（オフセットＯＰニス）に香料マイクロカプセルを練り込んだインキを用いてオフセット印刷により透明カバー層４’を形成する。或いは、シルクスクリーン印刷用無着色インキ（シルクスクリーンＯＰニス）に香料マイクロカプセルを練り込んだインキを用いてシルクスクリーン印刷により形成してもよい。
【００２０】
これら図３と図４に示すタイプの印刷物は、図１に示すタイプの印刷物と比較して香り立ちの効果は低くなるが、印刷回数を増やすことなく香りを付加することができるというメリットがある。なお、表面に露出している面積が大きい方の層を香料印刷とした方がより高い効果が期待できる。
【００２１】
図１に示すポスターは、その印刷化粧材Ａ，Ｂとして、図２〜図４に示したタイプの印刷化粧材を適宜配置して構成してもよいし、図２〜図４に示したタイプの印刷化粧材に加えてその他の印刷化粧材を適宜配置した構成としてもよい。そして、印刷化粧材Ａ，Ｂとして、木材柄にヒノキの香り、畳柄にイグサの香り、皮革柄にレザーの香りといった素材の表現を行うことができる。
【００２２】
本発明の印刷物は、上記したようなポスターをはじめとして、ダイレクトメール、ポストカード、ブックカバー、見本帳などその他の用途にも広く利用することができる。
【００２３】
本発明の印刷物は、上記で例示した、木材柄にヒノキの香り、畳柄にイグサの香り、皮革柄にレザーの香りといった化粧材の表現の他に用途に応じて適宜のもの表現することができ、例えば、チョコレートやフルーツといった食品の表現も挙げられる。
【図面の簡単な説明】
【００２４】
【図１】本発明に係る印刷物の応用例を示す平面図である。
【図２】図１の印刷物における印刷化粧材の一例を示す一部断面図である。
【図３】図１の印刷物における印刷化粧材の別の例を示す一部断面図である。
【図４】図１の印刷物における印刷化粧材のさらに別の例を示す一部断面図である。
【符号の説明】
【００２５】
１  印刷物
２  紙基材
３  絵柄印刷層
４，４’  透明カバー層
５，５’  凹凸模様層
６  香料印刷層
【図１】
2005186389.tif 000003
【図２】
2005186389.tif 000004
【図３】
2005186389.tif 000005
【図４】
2005186389.tif 000006